(57)【要約】【課題】マイクロレンズアレイを備えた車両用灯具において、カットオフラインを有する配光パターンを形成する構成とした場合であっても配光パターンの明るさを十分に確保可能とする。【解決手段】マイクロレンズアレイを構成する後側レンズアレイ４２Ａ、４２Ｂ、４２Ｃと前側レンズアレイ４４Ａ、４４Ｂ、４４Ｃとの間に遮光板５０が配置された構成とし、これにより上部にカットオフラインを有するロービーム用配光パターンを形成可能とする。その上で、後側レンズアレイ４２Ａ〜４２Ｃとして、集光レンズ部４２Ａｓ〜４２Ｃｓの光軸Ａｘａ２、Ａｘｂ２、Ａｘｃ２がこれに対応する投影レンズ部４４Ａｓ、４４Ｂｓ、４４Ｃｓの光軸Ａｘａ４、Ａｘｂ４、Ａｘｃ４に対して上方側にオフセットした構成とする。これにより、後側レンズアレイ４２Ａ〜４２Ｃに入射した光源ユニット３０からの出射光のうち遮光板５０によって遮光されてしまう光の割合を少なくする。【選択図】図５
2020061231.tif 000002
【特許請求の範囲】
【請求項１】
光源ユニットからの出射光をマイクロレンズアレイを介して灯具前方へ向けて照射することにより、所要の配光パターンを形成するように構成された車両用灯具において、
上記マイクロレンズアレイは、上記光源ユニットからの出射光を集光させるための複数の集光レンズ部が後面に形成された後側レンズアレイと、上記複数の集光レンズ部によって形成される複数の光源像の各々を投影するための複数の投影レンズ部が前面に形成された前側レンズアレイとを備えており、
上記後側レンズアレイと上記前側レンズアレイとの間に、上記複数の光源像の各々の形状を規定するための遮光板が配置されており、
上記後側レンズアレイは、上記集光レンズ部の光軸が該集光レンズ部に対応する上記投影レンズ部の光軸に対してオフセットした領域を備えている、ことを特徴とする車両用灯具。
【請求項２】
上記後側レンズアレイは、上記集光レンズ部の光軸が該集光レンズ部に対応する上記投影レンズ部の光軸に対して上方側にオフセットした領域を備えている、ことを特徴とする、請求項１記載の車両用灯具。
【請求項３】
上記後側レンズアレイは、上記集光レンズ部の光軸の上方側へのオフセット量が互いに異なる値に設定された複数の領域を備えている、ことを特徴とする請求項２記載の車両用灯具。
【請求項４】
上記後側レンズアレイは、上記集光レンズ部の光軸が該集光レンズ部に対応する上記投影レンズ部の光軸に対して左右方向にオフセットした領域を備えている、ことを特徴とする請求項１〜３いずれか記載の車両用灯具。
【請求項５】
上記後側レンズアレイは、上記集光レンズ部の光軸の左右方向へのオフセット量が互いに異なる値に設定された複数の領域を備えている、ことを特徴とする請求項４記載の車両用灯具。
【請求項６】
上記後側レンズアレイは、上記集光レンズ部の前側焦点が該集光レンズ部に対応する上記投影レンズ部の後側焦点に対して灯具前方側にオフセットした領域を備えている、ことを特徴とする請求項１〜５いずれか記載の車両用灯具。
【発明の詳細な説明】
【技術分野】
【０００１】
本願発明は、マイクロレンズアレイを備えた車両用灯具に関するものである。
【背景技術】
【０００２】
従来より、光源ユニットからの出射光をマイクロレンズアレイを介して装置前方へ向けて照射するように構成された投射型表示装置が知られている。
【０００３】
「特許文献１」には、このような投射型表示装置のマイクロレンズアレイとして、光源ユニットからの出射光を集光させるための複数の集光レンズ部が後面に形成された後側レンズアレイと、これら複数の集光レンズ部によって形成される複数の光源像の各々を投影するための複数の投影レンズ部が前面に形成された前側レンズアレイとを備えたものが記載されている。
【０００４】
この「特許文献１」に記載された投射型表示装置においては、後側レンズアレイと前側レンズアレイとの間に配置された複数のイメージング構造によって形状が規定された光源像を、装置前方に配置されたスクリーン上に表示させるように構成されている。
【０００５】
一方「特許文献２」には、光源ユニットからの出射光をマイクロレンズアレイを介して灯具前方へ向けて照射することにより、所要の配光パターンを形成するように構成された車両用灯具が記載されている。
【０００６】
この「特許文献２」に記載された車両用灯具においては、後側レンズアレイと前側レンズアレイとの間に、複数の集光レンズ部によって形成される複数の光源像の各々の形状を規定するための遮光板が配置されており、これにより上記所要の配光パターンとして上部にカットオフラインを有する配光パターンを形成するように構成されている。
【先行技術文献】
【特許文献】
【０００７】
【特許文献１】特許第５３２７６５８号公報
【特許文献２】特許第６２２９０５４号公報
【発明の概要】
【発明が解決しようとする課題】
【０００８】
上記「特許文献２」に記載された車両用灯具において、そのマイクロレンズアレイは、後側レンズアレイに形成された複数の集光レンズ部の各々の光軸と前側レンズアレイに形成された複数の投影レンズ部の各々の光軸とが一致した構成となっている。
【０００９】
このため、上部にカットオフラインを有する配光パターンを形成する構成とした場合には、後側レンズアレイに入射した光源ユニットからの出射光のうち遮光板によって遮光されてしまう光の割合が多くなり、光源光束を有効に利用することができず、したがって配光パターンの明るさを十分に確保することができない。
【００１０】
このような課題は、上部以外にカットオフラインを有する配光パターンを形成する場合においても同様に生じ得る課題である。
【００１１】
本願発明は、このような事情に鑑みてなされたものであって、マイクロレンズアレイを備えた車両用灯具において、カットオフラインを有する配光パターンを形成する構成とした場合であっても配光パターンの明るさを十分に確保することができる車両用灯具を提供することを目的とするものである。
【課題を解決するための手段】
【００１２】
本願発明は、マイクロレンズアレイの構成に工夫を施すことにより、上記目的達成を図るようにしたものである。
【００１３】
すなわち、本願発明に係る車両用灯具は、
光源ユニットからの出射光をマイクロレンズアレイを介して灯具前方へ向けて照射することにより、所要の配光パターンを形成するように構成された車両用灯具において、
上記マイクロレンズアレイは、上記光源ユニットからの出射光を集光させるための複数の集光レンズ部が後面に形成された後側レンズアレイと、上記複数の集光レンズ部によって形成される複数の光源像の各々を投影するための複数の投影レンズ部が前面に形成された前側レンズアレイとを備えており、
上記後側レンズアレイと上記前側レンズアレイとの間に、上記複数の光源像の各々の形状を規定するための遮光板が配置されており、
上記後側レンズアレイは、上記集光レンズ部の光軸が該集光レンズ部に対応する上記投影レンズ部の光軸に対してオフセットした領域を備えている、ことを特徴とするものである。
【００１４】
上記「遮光板」は、複数の光源像の各々の形状を規定することにより、上記所要の配光パターンとしてカットオフラインを有する配光パターンを形成し得るように構成されたものであれば、その具体的な形状や配置等は特に限定されるものではない。
【００１５】
上記「後側レンズアレイ」は、集光レンズ部の光軸がこれに対応する投影レンズ部の光軸に対してオフセットした領域を備えているが、その領域の具体的な位置や大きさ等は特に限定されるものではなく、また、オフセットの方向性やオフセット量の具体的な値についても特に限定されるものではない。
【発明の効果】
【００１６】
本願発明に係る車両用灯具は、光源ユニットからの出射光をマイクロレンズアレイを介して灯具前方へ向けて照射することにより所要の配光パターンを形成する構成となっているが、マイクロレンズアレイを構成する後側レンズアレイと前側レンズアレイとの間には、複数の集光レンズ部によって形成される複数の光源像の各々の形状を規定するための遮光板が配置されているので、上記所要の配光パターンとしてカットオフラインを有する配光パターンを形成することができる。
【００１７】
その上で、後側レンズアレイは、集光レンズ部の光軸がこれに対応する投影レンズ部の光軸に対してオフセットした領域を備えているので、この領域においては後側レンズアレイに入射した光源ユニットからの出射光のうち遮光板によって遮光されてしまう光の割合を少なくすることが可能となり、その分だけ光源光束を有効に利用することができる。したがって、カットオフラインを有する配光パターンを、そのカットオフラインの位置および形状を維持したままの状態で、明るさが増大した配光パターンとして形成することができる。
【００１８】
このように本願発明によれば、マイクロレンズアレイを備えた車両用灯具において、カットオフラインを有する配光パターンを形成する構成とした場合であっても配光パターンの明るさを十分に確保することができる。
【００１９】
その際、後側レンズアレイとして、集光レンズ部の光軸がこれに対応する投影レンズ部の光軸に対して上方側にオフセットした領域を備えた構成とすれば、上部にカットオフラインを有する配光パターン（例えばロービーム用配光パターン等）を形成する構成とした場合であっても、その明るさを十分に確保することができる。
【００２０】
その際、さらに、後側レンズアレイとして、集光レンズ部の光軸の上方側へのオフセット量が互いに異なる複数の領域を備えている構成とすれば、上部にカットオフラインを有する配光パターンを、下端縁の位置が異なる複数の配光パターンの合成配光パターンとして形成することができる。そしてこれにより、上部にカットオフラインを有する配光パターンを、配光ムラの少ない配光パターンとして形成することができる。
【００２１】
上記構成において、さらに、後側レンズアレイとして、集光レンズ部の光軸がこれに対応する投影レンズ部の光軸に対して左右方向にオフセットした領域を備えている構成とすれば、カットオフラインを有する配光パターンを、そのカットオフラインの位置および形状を維持したままの状態で、左右方向の拡がりが増大した配光パターンとして形成することができる。
【００２２】
その際、後側レンズアレイとして、集光レンズ部の光軸の左右方向へのオフセット量が互いに異なる複数の領域を備えている構成とすれば、カットオフラインを有する配光パターンを、左右方向の位置が互いにずれた複数の配光パターンの合成配光パターンとして形成することができる。そしてこれにより、カットオフラインを有する配光パターンを、より配光ムラの少ない配光パターンとして形成することができる。
【００２３】
上記構成において、さらに、後側レンズアレイとして、集光レンズ部の前側焦点がこれに対応する投影レンズ部の後側焦点に対して灯具前方側にオフセットした領域を備えている構成とすれば、この領域においては後側レンズアレイに入射した光源ユニットからの出射光によって投影レンズ部の後側焦点面に比較的大きな光源像が形成されることとなるので、これによりカットオフラインを有する配光パターンのサイズを増大させることができる。
【図面の簡単な説明】
【００２４】
【図１】本願発明の一実施形態に係る車両用灯具を示す正面図
【図２】図１のII−II線断面図
【図３】図１のIII−III線断面図
【図４】（ａ）は図２のIVａ部詳細図、（ｂ）は図２のIVｂ部詳細図、（ｃ）は図２のIVｃ部詳細図
【図５】（ａ）は図３のＶａ部詳細図、（ｂ）、（ｃ）は他の部位を示す（ａ）と同様の図
【図６】図４のVI方向矢視図
【図７】上記車両用灯具からの照射光により形成される配光パターンを透視的に示す図
【図８】上記実施形態の変形例を示す、図３と同様の図
【図９】上記変形例に係る車両用灯具からの照射光により形成される配光パターンを透視的に示す図
【発明を実施するための形態】
【００２５】
以下、図面を用いて、本願発明の実施の形態について説明する。
【００２６】
図１は、本願発明の一実施形態に係る車両用灯具１０を示す正面図である。また、図２は、図１のII−II線断面図であり、図３は、図１のIII−III線断面図である。なお、図１においては構成要素の一部を破断した状態で示している。
【００２７】
これらの図において、Ｘで示す方向が灯具としての「前方」（車両としても「前方」）であり、Ｙで示す方向が「前方」と直交する「左方向」（車両としても「左方向」であるが灯具正面視では「右方向」）であり、Ｚで示す方向が「上方向」である。これら以外の図においても同様である。
【００２８】
これらの図に示すように、本実施形態に係る車両用灯具１０は、車両の右前端部に設けられるヘッドランプであって、ランプボディ１２と透光カバー１４とで形成される灯室内に３つの灯具ユニット２０Ａ、２０Ｂ、２０Ｃが車幅方向に並んだ状態で組み込まれた構成となっている。
【００２９】
３つの灯具ユニット２０Ａ〜２０Ｃは、いずれも同様の構成を有する光源ユニット３０からの出射光をマイクロレンズアレイ４０Ａ、４０Ｂ、４０Ｃを介して灯具前方へ向けて照射するように構成されている。
【００３０】
各光源ユニット３０は、光源３２とその灯具前方側に配置された透光部材３４とを備えた構成となっている。
【００３１】
各光源３２は、いずれも白色発光ダイオードであって、矩形状（例えば正方形）の発光面を有しており、基板３６に搭載された状態で灯具前方へ向けて配置されている。各基板３６はランプボディ１２に支持されている。
【００３２】
各透光部材３４は、光源３２からの光を入射させる入射面３４ａと、この入射面３４ａから入射した光を灯具前方へ向けて出射させる出射面３４ｂとを備えている。
【００３３】
入射面３４ａは、光源３２の発光中心を通るようにして灯具前後方向に延びる光軸Ａｘを中心とする回転曲面で構成されている。
【００３４】
具体的には、入射面３４ａは、光源３２の発光中心からの光を光軸Ａｘと平行な光として入射させる中央領域３４ａ１と、この中央領域３４ａ１の周囲において光源３２の発光中心からの光を光軸Ａｘから離れる方向を向けて入射させた後、光軸Ａｘと平行な光として全反射によって内面反射させる周辺領域３４ａ２とを備えている。
【００３５】
一方、出射面３４ｂは、光軸Ａｘと直交する鉛直面に沿って延びる平面で構成されている。そして、この出射面３４ｂは、入射面３４ａの中央領域３２ａ１から入射した光源３２の発光中心からの光およびその周辺領域３４ａ２で内面反射した光源３２の発光中心からの光を、そのまま光軸Ａｘと平行な光として灯具前方へ向けて出射させるようになっている。
【００３６】
３つの透光部材３４は、透明な樹脂成形品として一体的に形成されている。
【００３７】
具体的には、３つの透光部材３４は、その外周縁部が出射面３４ｂに沿って延びる平板部３４ｃを介して互いに繋がっており、樹脂成形品全体としては、灯具正面視において横長矩形状の外形形状を有している。そして、この樹脂成形品は、その外周フランジ部３４ｄにおいてランプボディ１２に支持されている。
【００３８】
各マイクロレンズアレイ４０Ａ〜４０Ｃは、後側レンズアレイ４２Ａ、４２Ｂ、４２Ｃと、その灯具前方側に位置する前側レンズアレイ４４Ａ、４４Ｂ、４４Ｃとを備えている。
【００３９】
各後側レンズアレイ４２Ａ〜４２Ｃの前面は、光軸Ａｘと直交する鉛直面に沿って延びる平面で構成されているが、その後面には各光源ユニット３０からの出射光を集光させるための複数の集光レンズ部４２Ａｓ、４２Ｂｓ、４０Ｃｓが形成されている。これら複数の集光レンズ部４２Ａｓ〜４２Ｃｓは、いずれも凸曲面状の魚眼レンズであって、縦横格子状に区分けされた複数のセグメント（例えば０．５〜３ｍｍ角程度のサイズのセグメント）の各々に割り付けられている。
【００４０】
一方、各前側レンズアレイ４４Ａ〜４４Ｃの後面は、光軸Ａｘと直交する鉛直面に沿って延びる平面で構成されているが、その前面には複数の集光レンズ部４２Ａｓ〜４２Ｃｓによって形成される複数の光源像の各々を投影するための複数の投影レンズ部４４Ａｓ、４４Ｂｓ、４４Ｃｓが形成されている。これら複数の投影レンズ部４４Ａｓ〜４４Ｃｓは、いずれも凸曲面状の魚眼レンズであって、集光レンズ部４２Ａｓ〜４２Ｃｓと同一サイズで縦横格子状に区分けされた複数のセグメントの各々に割り付けられている。
【００４１】
３つの後側レンズアレイ４２Ａ〜４２Ｃは、その側端部において互いに繋がっており、全体として横長矩形状の外形形状を有する後側透光板４２として構成されている。この後側透光板４２は、３つの後側レンズアレイ４２Ａ〜４２Ｃにおいて複数の集光レンズ部４２Ａｓ〜４２Ｃｓが形成されている部分を囲む横長矩形状の外周縁領域４２ａが平板状に形成されており、この外周縁領域４２ａにおいてランプボディ１２に支持されている。
【００４２】
一方、３つの前側レンズアレイ４４Ａ〜４４Ｃも、その側端部において互いに繋がっており、全体として後側透光板４２と同一の外形形状を有する前側透光板４４として構成されている。この前側透光板４４も、３つの前側レンズアレイ４４Ａ〜４４Ｃにおいて複数の投影レンズ部４４Ａｓ〜４４Ｃｓが形成されている部分を囲む横長矩形状の外周縁領域４４ａが平板状に形成されている。
【００４３】
後側レンズアレイ４２Ａ〜４２Ｃと前側レンズアレイ４４Ａ〜４４Ｃとの間には、複数の集光レンズ部４２Ａｓ〜４２Ｃｓによって形成される複数の光源像の各々の形状を規定するための遮光板５０が配置されている。
【００４４】
この遮光板５０は、後側透光板４２および前側透光板４４と略同一の外形形状を有する薄板（例えば０．１〜０．５ｍｍ程度の板厚を有する金属板）で構成されており、この遮光板５０には複数の開口部５０ａが規則的に形成されている。具体的には、これら複数の開口部５０ａは、各前側レンズアレイ４４Ａ〜４４Ｃにおける複数の投影レンズ部４４Ａｓ〜４４Ｃｓの各々に対応するようにして縦横格子状に配置されている。
【００４５】
図４（ａ）は、図２のIVａ部詳細図であり、図４（ｂ）は、図２のIVｂ部詳細図であり、図４（ｃ）は、図２のIVｃ部詳細図である。また、図５（ａ）は、灯具ユニット２０Ａの要部を示す図３のＶａ部詳細図であり、図５（ｂ）、（ｃ）は、灯具ユニット２０Ｂ、２０Ｃの要部を示す、図５（ａ）と同様の図である。さらに、図６は、図４のVI方向矢視図である。
【００４６】
これらの図にも示すように、３つの前側レンズアレイ４４Ａ〜４４Ｃの各々の前面に形成された複数の投影レンズ部４４Ａｓ〜４４Ｃｓは、いずれも同一の曲率を有する球面状の表面形状を有している。具体的には、各投影レンズ部４４Ａｓ〜４４Ｃｓは、灯具前後方向に延びる光軸Ａｘａ４、Ａｘｂ４、Ａｘｃ４を有しており、その後側焦点Ｆは、該投影レンズ部４４Ａｓ〜４４Ｃｓの光軸Ａｘａ４〜Ａｘｃ４と各前側レンズアレイ４４Ａ〜４４Ｃの後面との交点付近に位置している。
【００４７】
図６に示すように、遮光板５０に形成された複数の開口部５０ａは、いずれも同様の形状を有している。具体的には、各開口部５０ａは、略横長矩形状に形成されており、その下端縁５０ａ１は、投影レンズ部４４Ａｓの光軸Ａｘａよりも左側（灯具正面視では右側）の部分が光軸Ａｘａ４よりも僅かに上方側において水平方向に延びており、光軸Ａｘａ４よりも右側の部分がその左側の部分と光軸Ａｘａ４を含む鉛直面との交点から右斜め下方向に延びている。また、各開口部５０ａの上端縁は、各投影レンズ部４４Ａｓの上端縁よりも僅かに下方側に位置しており、各開口部５０ａの両側端縁は、各投影レンズ部４４Ａｓの両側端縁のやや内側に位置している。
【００４８】
そして、この遮光板５０は、その開口部５０ａの下端縁５０ａ１において、集光レンズ部４２Ａｓを介して該遮光板５０に到達した光源ユニット３０からの光の一部を遮光することにより、下端部に明暗境界線を有する光源像を投影レンズ部４４Ａｓの後側焦点面上に形成するようになっている。
【００４９】
３つの後側レンズアレイ４２Ａ〜４２Ｃの各々の後面に形成された複数の集光レンズ部４２Ａｓ〜４０Ｃｓも、灯具前後方向に延びる光軸Ａｘａ２、Ａｘｂ２、Ａｘｃ２を有しているが、各光軸Ａｘａ２〜Ａｘｃ２は、その各々に対応する（すなわち灯具正面方向に位置する）投影レンズ部４４Ａｓ〜４４Ｃｓの光軸Ａｘａ４〜Ａｘｃ４に対して上方側および左右方向にオフセットしている。
【００５０】
すなわち、図６および図５（ａ）に示すように、後側レンズアレイ４２Ａの集光レンズ部４２Ａｓは、その光軸Ａｘａ２が投影レンズ部４４Ａｓの光軸Ａｘａ４に対して上方側にオフセットしている。
【００５１】
また、図６および図４（ａ）に示すように、後側レンズアレイ４２Ａの集光レンズ部４２Ａｓは、該後側レンズアレイ４２Ａにおいて光源ユニット３０の光軸Ａｘよりも左側に位置する左側領域４２ＡＬでは、その光軸Ａｘａ２が投影レンズ部４４Ａｓの光軸Ａｘａ４に対して右方向にオフセットしており、光軸Ａｘよりも右側に位置する右側領域４２ＡＲでは、その光軸Ａｘａ２が投影レンズ部４４Ａｓの光軸Ａｘａ４に対して左方向にオフセットしている。その際、左側領域４２ＡＬにおける右方向へのオフセット量ＤＨａＬと、右側領域４２ＡＲにおける左方向へのオフセット量ＤＨａＲとは、互いに同一の値に設定されている。
【００５２】
図５（ｂ）に示すように、後側レンズアレイ４２Ｂの集光レンズ部４２Ｂｓは、その光軸Ａｘｂ２が投影レンズ部４４Ｂｓの光軸Ａｘｂ４に対して上方側にオフセットしている。その際、集光レンズ部４２Ｂｓの光軸Ａｘｂ２の上方側へのオフセット量ＤＶｂは、集光レンズ部４２Ａｓの場合のオフセット量ＤＶａよりも大きい値に設定されている。
【００５３】
また、図４（ｂ）に示すように、後側レンズアレイ４２Ｂの集光レンズ部４２Ｂｓは、該後側レンズアレイ４２Ｂにおいて光源ユニット３０の光軸Ａｘよりも左側に位置する左側領域４２ＢＬでは、その光軸Ａｘｂ２が投影レンズ部４４Ｂｓの光軸Ａｘｂ４に対して右方向にオフセットしており、光軸Ａｘよりも右側に位置する右側領域４２ＢＲでは、その光軸Ａｘｂ２が投影レンズ部４４Ｂｓの光軸Ａｘｂ４に対して左方向にオフセットしている。その際、左側領域４２ＢＬにおける右方向へのオフセット量ＤＨｂＬと、右側領域４２ＢＲにおける左方向へのオフセット量ＤＨｂＲとは、互いに同一の値に設定されている。
【００５４】
図５（ｃ）に示すように、後側レンズアレイ４２Ｃの集光レンズ部４２Ｃｓは、その光軸Ａｘｃ２が投影レンズ部４４Ｃｓの光軸Ａｘｃ４に対して上方側にオフセットしている。その際、集光レンズ部４２Ｃｓの光軸Ａｘｃ２の上方側へのオフセット量ＤＶｃは、集光レンズ部４２Ｂｓの場合のオフセット量ＤＶｂよりもさらに大きい値に設定されている。
【００５５】
また、図４（ｃ）に示すように、後側レンズアレイ４２Ｃの集光レンズ部４２Ｃｓは、該後側レンズアレイ４２Ｃにおいて光源ユニット３０の光軸Ａｘよりも左側に位置する左側領域４２ＣＬでは、その光軸Ａｘｃ２が投影レンズ部４４Ｃｓの光軸Ａｘｃ４に対して右方向にオフセットしており、光軸Ａｘよりも右側に位置する右側領域４２ＣＲでは、その光軸Ａｘｃ２が投影レンズ部４４Ｃｓの光軸Ａｘｃ４に対して左方向にオフセットしている。その際、左側領域４２ＣＬにおける右方向へのオフセット量ＤＨｃＬと、右側領域４２ＣＲにおける左方向へのオフセット量ＤＨｃＲとは、互いに同一の値に設定されている。
【００５６】
なお、上述したとおり各集光レンズ部４２Ａｓ〜４２Ｃｓの左右幅は一定であるが、上記左右方向のオフセットのため、各光軸Ａｘａ２〜Ａｘｃ２の左右に隣接する集光レンズ部４２Ａｓ〜４２Ｃｓは、他の集光レンズ部４２Ａｓ〜４２Ｃｓに比してその左右幅が僅かに狭くなっている。
【００５７】
図５（ａ）に示すように、後側レンズアレイ４２Ａの集光レンズ部４２Ａｓは、その表面が投影レンズ部４４Ａｓの表面を構成している球面よりも曲率が小さい（あるいは同程度の）円弧状の鉛直断面形状を有しており、その鉛直面内における前側焦点は投影レンズ部４４Ａｓの後側焦点Ｆよりも灯具前方側（あるいは後側焦点Ｆ近傍）に位置している。
【００５８】
これにより集光レンズ部４２Ａｓは、投影レンズ部４４Ａｓの後側焦点面上に小さい光源像を形成するようになっている。この光源像は、その下端部に明暗境界線を有するものとなるが、集光レンズ部４２Ａｓの光軸Ａｘａ２は投影レンズ部４４Ａｓの光軸Ａｘａ４に対して上方側にオフセットしているので、仮に上方側にオフセットしていないとした場合に比して遮光板５０による遮光量が減少し、その分だけ明るい光源像が形成されるようになっている。
【００５９】
図５（ｂ）に示すように、後側レンズアレイ４２Ｂの集光レンズ部４２Ｂｓは、その表面が投影レンズ部４４Ｂｓの表面を構成している球面よりも曲率が小さい円弧状の鉛直断面形状を有しており、その鉛直面内における前側焦点は投影レンズ部４４Ｂｓの後側焦点Ｆよりも灯具前方側に位置している。その際の前方変位量は、後側レンズアレイ４２Ａの集光レンズ部４２Ａｓの場合よりも大きくなっている。
【００６０】
これにより集光レンズ部４２Ｂｓは、投影レンズ部４４Ｂｓの後側焦点面上に中程度の大きさの光源像を形成するようになっている。この光源像は、その下端部に明暗境界線を有するものとなるが、集光レンズ部４２Ｂｓの光軸Ａｘｂ２の上方側へのオフセット量ＤＶｂは集光レンズ部４２Ａｓのオフセット量ＤＶａよりも大きい値に設定されているので、前側焦点の前方変位量が大きくなっているにもかかわらず、仮に上方側にオフセットしていないとした場合に比して遮光板５０による遮光量が減少し、その分だけ明るい光源像が形成されるようになっている。
【００６１】
図５（ｃ）に示すように、後側レンズアレイ４２Ｃの集光レンズ部４２Ｃｓは、その表面が投影レンズ部４４Ｃｓの表面を構成している球面よりも曲率が小さい円弧状の鉛直断面形状を有しており、その鉛直面内における前側焦点は投影レンズ部４４Ｃｓの後側焦点Ｆよりも灯具前方側に位置している。その際の前方変位量は、後側レンズアレイ４２Ｂの集光レンズ部４２Ｂｓの場合よりもさらに大きくなっている。
【００６２】
これにより集光レンズ部４２Ｃｓは、投影レンズ部４４Ｃｓの後側焦点面上に比較的大きい光源像を形成するようになっている。この光源像は、その下端部に明暗境界線を有するものとなるが、集光レンズ部４２Ｃｓの光軸Ａｘｃ２の上方側へのオフセット量ＤＶｃが集光レンズ部４２Ｂｓのオフセット量ＤＶｂよりもさらに大きい値に設定されているので、前側焦点の前方変位量がさらに大きくなっているにもかかわらず、仮に上方側にオフセットしていないとした場合に比して遮光板５０による遮光量が減少し、その分だけ明るい光源像が形成されるようになっている。
【００６３】
図４（ａ）に示すように、後側レンズアレイ４２Ａの集光レンズ部４２Ａｓは、その表面が投影レンズ部４４Ａｓの表面を構成している球面よりも曲率が僅かに小さい（あるいは同程度の）円弧状の水平断面形状を有しており、その水平面内における前側焦点は投影レンズ部４４Ａｓの後側焦点Ｆよりも僅かに灯具前方側（あるいは後側焦点Ｆ近傍）に位置している。
【００６４】
これにより、後側レンズアレイ４２Ａの左側領域４２ＡＬにおいては、各投影レンズ部４４Ａｓからの出射光を光軸Ａｘに対してやや左方向へ向けて水平方向に僅かに拡散する光とするとともに、後側レンズアレイ４２Ａの右側領域４２ＡＲにおいては、各投影レンズ部４４Ａｓからの出射光を光軸Ａｘに対してやや右方向へ向けて水平方向に僅かに拡散する光とするようになっている。
【００６５】
図４（ｂ）に示すように、後側レンズアレイ４２Ｂの集光レンズ部４２Ｂｓは、その表面が投影レンズ部４４Ｂｓの表面を構成している球面よりも曲率がある程度小さい円弧状の水平断面形状を有しており、その水平面内における前側焦点は投影レンズ部４４Ｂｓの後側焦点Ｆよりもある程度灯具前方側に位置している。
【００６６】
これにより、後側レンズアレイ４２Ｂの左側領域４２ＢＬにおいては、各投影レンズ部４４Ｂｓからの出射光を光軸Ａｘに対してやや左方向へ向けて水平方向にある程度拡散する光とするとともに、後側レンズアレイ４２Ｂの右側領域４２ＢＲにおいては、各投影レンズ部４４Ｂｓからの出射光を光軸Ａｘに対してやや右方向へ向けて水平方向にある程度拡散する光とするようになっている。
【００６７】
図４（ｃ）に示すように、後側レンズアレイ４２Ｃの集光レンズ部４２Ｃｓは、その表面が投影レンズ部４４Ｃｓの表面を構成している球面よりも曲率がかなり小さい円弧状の水平断面形状を有しており、その水平面内における前側焦点は投影レンズ部４４Ｃｓの後側焦点Ｆよりもかなり灯具前方側に位置している。
【００６８】
これにより、後側レンズアレイ４２Ｃの左側領域４２ＣＬにおいては、各投影レンズ部４４Ｃｓからの出射光を光軸Ａｘに対してやや左方向へ向けて水平方向に大きく拡散する光とするとともに、後側レンズアレイ４２Ｃの右側領域４２ＣＲにおいては、各投影レンズ部４４Ｃｓからの出射光を光軸Ａｘに対してやや右方向へ向けて水平方向に大きく拡散する光とするようになっている。
【００６９】
図７は、車両用灯具１０からの照射光によって車両前方２５ｍの位置に配置された仮想鉛直スクリーン上に形成されるロービーム用配光パターンＰＬを透視的に示す図である。
【００７０】
このロービーム用配光パターンＰＬは、左配光のロービーム用配光パターンであって、その上端縁にカットオフラインＣＬ１、ＣＬ２を有している。
【００７１】
このカットオフラインＣＬ１、ＣＬ２は、灯具正面方向の消点であるＨ−Ｖを鉛直方向に通るＶ−Ｖ線よりも右側の対向車線側部分が水平カットオフラインＣＬ１として形成されるとともにＶ−Ｖ線よりも左側の自車線側部分が斜めカットオフラインＣＬ２として形成されており、両者の交点であるエルボ点ＥはＨ−Ｖの０．５〜０．６°程度下方に位置している。
【００７２】
このカットオフラインＣＬ１、ＣＬ２は、遮光板５０に形成された複数の開口部５０ａの下端縁５０ａ１の反転投影像として形成されるようになっている。
【００７３】
ロービーム用配光パターンＰＬは、６つの配光パターンＰＡ１、ＰＡ２、ＰＢ１、ＰＢ２、ＰＣ１、ＰＣ２を重畳させた合成配光パターンとして形成されるようになっている。
【００７４】
２つの配光パターンＰＡ１、ＰＡ２は、灯具ユニット２０Ａからの照射光によって形成される配光パターンであって、小さくて明るい横長の配光パターンとしてエルボ点Ｅを囲むようにして形成されている。その際、これら２つの配光パターンＰＡ１、ＰＡ２は、Ｖ−Ｖ線を中心にして部分的に重複した状態で形成されており、これによりロービーム用配光パターンＰＬの高光度領域を形成するようになっている。
【００７５】
配光パターンＰＡ１は、後側レンズアレイ４２Ａの左側領域４２ＡＬを透過しした光によって形成される小さくて明るい配光パターンであって、その中心がＶ−Ｖ線に対して左方向に変位している。これは、左側領域４２ＡＬを透過した光は光軸Ａｘに対してやや左方向へ向けて水平方向に僅かに拡散する光として前側レンズアレイ４４Ａから出射することによるものである。
【００７６】
配光パターンＰＡ２は、後側レンズアレイ４２Ａの右側領域４２ＡＲを透過しした光によって形成される小さくて明るい配光パターンであって、その中心がＶ−Ｖ線に対して右方向に変位している。これは、右側領域４２ＡＲを透過した光は光軸Ａｘに対してやや右方向へ向けて水平方向に僅かに拡散する光として前側レンズアレイ４４Ａから出射することによるものである。
【００７７】
２つの配光パターンＰＢ１、ＰＢ２は、灯具ユニット２０Ｂからの照射光によって形成される配光パターンであって、２つの配光パターンＰＡ１、ＰＡ２よりもひと回り大きい横長の配光パターンとして形成されている。その際、これら２つの配光パターンＰＢ１、ＰＢ２は、Ｖ−Ｖ線を中心にして部分的に重複した状態で形成されており、これによりロービーム用配光パターンＰＬの中拡散領域を形成するようになっている。
【００７８】
配光パターンＰＢ１は、後側レンズアレイ４２Ｂの左側領域４２ＢＬを透過しした光によって形成される中程度の大きさの配光パターンであって、その中心がＶ−Ｖ線に対して左方向に変位している。これは、左側領域４２ＢＬを透過した光は光軸Ａｘに対してやや左方向へ向けて水平方向にある程度拡散する光として前側レンズアレイ４４Ｂから出射することによるものである。
【００７９】
配光パターンＰＢ２は、後側レンズアレイ４２Ｂの右側領域４２ＢＲを透過しした光によって形成される中程度の大きさの配光パターンであって、その中心がＶ−Ｖ線に対して右方向に変位している。これは、右側領域４２ＢＲを透過した光は光軸Ａｘに対してやや右方向へ向けて水平方向にある程度拡散する光として前側レンズアレイ４４Ｂから出射することによるものである。
【００８０】
２つの配光パターンＰＣ１、ＰＣ２は、灯具ユニット２０Ｃからの照射光によって形成される配光パターンであって、２つの配光パターンＰＢ１、ＰＢ２よりもさらにひと回り大きい横長の配光パターンとして形成されている。その際、これら２つの配光パターンＰＣ１、ＰＣ２は、Ｖ−Ｖ線を中心にして部分的に重複した状態で形成されており、これによりロービーム用配光パターンＰＬの高拡散領域を形成するようになっている。
【００８１】
配光パターンＰＣ１は、後側レンズアレイ４２Ｃの左側領域４２ＣＬを透過しした光によって形成される大きい配光パターンであって、その中心がＶ−Ｖ線に対して左方向に変位している。これは、左側領域４２ＣＬを透過した光は光軸Ａｘに対してやや左方向へ向けて水平方向に大きく拡散する光として前側レンズアレイ４４Ｃから出射することによるものである。
【００８２】
配光パターンＰＣ２は、後側レンズアレイ４２Ｃの右側領域４２ＣＲを透過しした光によって形成される大きい配光パターンであって、その中心がＶ−Ｖ線に対して右方向に変位している。これは、右側領域４２ＣＲを透過した光は光軸Ａｘに対してやや右方向へ向けて水平方向に大きく拡散する光として前側レンズアレイ４４Ｃから出射することによるものである。
【００８３】
次に本実施形態の作用について説明する。
【００８４】
本実施形態に係る車両用灯具１０は、３つの灯具ユニット２０Ａ、２０Ｂ、２０Ｃを備えており、各灯具ユニット２０Ａ〜２０Ｃは、光源ユニット３０からの出射光をマイクロレンズアレイ４０Ａ、４０Ｂ、４０Ｃを介して灯具前方へ向けて照射することにより所要の配光パターンを形成する構成となっているが、マイクロレンズアレイ４０Ａ〜４０Ｃを構成する後側レンズアレイ４２Ａ、４２Ｂ、４２Ｃと前側レンズアレイ４４Ａ、４４Ｂ、４４Ｃとの間には、複数の集光レンズ部４２Ａｓ、４２Ｂｓ、４２Ｃｓによって形成される複数の光源像の各々の形状を規定するための遮光板５０が配置されているので、上記所要の配光パターンとして上部に水平および斜めカットオフラインＣＬ１、ＣＬ２を有するロービーム用配光パターンＰＬを形成することができる。
【００８５】
その上で、各後側レンズアレイ４２Ａ〜４２Ｃは、その集光レンズ部４２Ａｓ〜４２Ｃｓの光軸Ａｘａ２、Ａｘｂ２、Ａｘｃ２がこれに対応する投影レンズ部４４Ａｓ、４４Ｂｓ、４４Ｃｓの光軸Ａｘａ４、Ａｘｂ４、Ａｘｃ４に対してオフセットしているので、各後側レンズアレイ４２Ａ〜４２Ｃに入射した光源ユニット３０からの出射光のうち遮光板５０によって遮光されてしまう光の割合を少なくすることが可能となり、その分だけ光源光束を有効に利用することができる。したがって、ロービーム用配光パターンＰＬを、その水平および斜めカットオフラインＣＬ１、ＣＬ２の位置および形状を維持したままの状態で、明るさが増大した配光パターンとして形成することができる。
【００８６】
このように本実施形態によれば、マイクロレンズアレイ４０Ａ〜４０Ｃを備えた車両用灯具１０において、カットオフラインを有する配光パターンを形成する構成とした場合であっても配光パターンの明るさを十分に確保することができる。
【００８７】
その際、各後側レンズアレイ４２Ａ〜４２Ｃは、その集光レンズ部４２Ａｓ〜４２Ｃｓの光軸Ａｘａ２〜Ａｘｃ２がこれに対応する投影レンズ部４４Ａｓ〜４４Ｃｓの光軸Ａｘａ４〜Ａｘｃ４に対して上方側にオフセットしているので、上部に水平および斜めカットオフラインＣＬ１、ＣＬ２を有するロービーム用配光パターンＰＬを形成する構成となっているにもかかわらず、その明るさを十分に確保することができる。
【００８８】
しかも、３つの後側レンズアレイ４２Ａ〜４２Ｃは、その集光レンズ部４２Ａｓ〜４２Ｃｓの光軸Ａｘａ２〜Ａｘｃ２の上方側へのオフセット量が互いに異なる値に設定されているので、ロービーム用配光パターンＰＬを、下端縁の位置が異なる３組の配光パターンＰＡ１、ＰＡ２、ＰＢ１、ＰＢ２、ＰＣ１、ＰＣ２の合成配光パターンとして形成することができる。そしてこれにより、ロービーム用配光パターンＰＬを配光ムラの少ない配光パターンとして形成することができる。
【００８９】
また、各後側レンズアレイ４２Ａ〜４２Ｃは、その集光レンズ部４２Ａｓ〜４２Ｃｓの光軸Ａｘａ２〜Ａｘｃ２がこれに対応する投影レンズ部４４Ａｓ〜４４Ｃｓの光軸Ａｘａ４〜Ａｘｃ４に対して左右方向にオフセットしているので、ロービーム用配光パターンＰＬを、その水平および斜めカットオフラインＣＬ１、ＣＬ２の位置および形状を維持したままの状態で、左右方向の拡がりが増大した配光パターンとして形成することができる。
【００９０】
その際、各後側レンズアレイ４２Ａ〜４２Ｃは、その集光レンズ部４２Ａｓ〜４２Ｃｓの光軸Ａｘａ２〜Ａｘｃ２の左右方向へのオフセット量が互いに異なる複数の領域を備えている（具体的には、各後側レンズアレイ４２Ａ〜４２Ｃの左側領域４２ＡＬ、４２ＢＬ、４２ＣＬと右側領域４２ＡＲ、４２ＢＲ、４２ＣＲとで左右方向へのオフセットが逆向きになっている）ので、ロービーム用配光パターンＰＬを、左右方向の位置が互いにずれた３組の配光パターンＰＡ１、ＰＡ２、ＰＢ１、ＰＢ２、ＰＣ１、ＰＣ２の合成配光パターンとして形成することができる。そしてこれにより、ロービーム用配光パターンＰＬを、より配光ムラの少ない配光パターンとして形成することができる。
【００９１】
さらに、各後側レンズアレイ４２Ａ〜４２Ｃは、その集光レンズ部４２Ａｓ〜４２Ｃｓの前側焦点がこれに対応する投影レンズ部４４Ａｓ〜４４Ｃｓの後側焦点Ｆに対して灯具前方側にオフセットしているので、後側レンズアレイ４２Ａ〜４２Ｃに入射した光源ユニット３０からの出射光によって投影レンズ部４４Ａｓ〜４４Ｃｓの後側焦点面に一定の大きさを有する光源像が形成されることとなり、これによりロービーム用配光パターンＰＬのサイズを増大させることができる。
【００９２】
しかも本実施形態においては、集光レンズ部４２Ａｓ、４２Ｂｓ、４２Ｃｓの順で投影レンズ部４４Ａｓ、４４Ｂｓ、４４Ｃｓに対する灯具前方側へのオフセット量が大きくなっているので、後側レンズアレイ４２Ａの透過光によって形成される配光パターンＰＡ１、ＰＡ２を小さくて明るい配光パターンとして形成し、後側レンズアレイ４２Ｂの透過光によって形成される配光パターンＰＢ１、ＰＢ２を明るさは減少するがひと回り大きい配光パターンとして形成し、後側レンズアレイ４２Ｃの透過光によって形成される配光パターンＰＣ１、ＰＣ２を明るさはさらに減少するがさらに大きい配光パターンとして形成することができ、これによりロービーム用配光パターンＰＬを車両前方走行路の視認性に優れたものとすることができる。
【００９３】
上記実施形態においては、各後側レンズアレイ４２Ａ〜４２Ｃの全領域において集光レンズ部４２Ａｓ〜４２Ｃｓの光軸Ａｘａ２〜Ａｘｃ２がこれに対応する投影レンズ部４４Ａｓ〜４４Ｃｓの光軸Ａｘａ４〜Ａｘｃ４に対して上方側にオフセットしているものとして説明したが、その一部領域においてのみ上方側にオフセットしている構成とすることも可能である。
【００９４】
上記実施形態においては、各後側レンズアレイ４２Ａ〜４２Ｃにおいて左側領域４２ＡＬ〜４２ＣＬと右側領域４２ＡＲ〜４２ＣＲとで左右方向へのオフセットが逆向きになっているものとして説明したが、同方向にオフセットした構成とすることも可能である。また、各左側領域４２ＡＬ〜４２ＣＬおよび／または各右側領域４２ＡＲ〜４２ＣＲ内に左右方向へのオフセット量が異なる領域を備えた構成とすることも可能である。
【００９５】
上記実施形態においては、３つの灯具ユニット２０Ａ〜２０Ｃを備えた構成とした上で、各灯具ユニット２０Ａ〜２０Ｃ毎にサイズの異なる配光パターンを形成する構成となっているものとして説明したが、これ以外の構成（例えば、単一の灯具ユニットにおいてサイズの異なる複数の配光パターンを形成する構成）を採用することも可能である。
【００９６】
上記実施形態においては、後側レンズアレイ４２Ａ〜４２Ｃの集光レンズ部４２Ａｓ〜４２Ｃｓおよび前側レンズアレイ４４Ａ〜４４Ｃの投影レンズ部４４Ａｓ〜４４Ｃｓが、縦横格子状に区分けされた複数のセグメントの各々に割り付けられているものとして説明したが、縦横格子状以外の区分け（例えば斜め格子状の区分け等）を採用することも可能である。
【００９７】
上記実施形態においては、各光源３２が白色発光ダイオードで構成されているものとして説明したが、これ以外の光源（例えばレーザーダイオードや有機ＥＬ等）が用いられた構成とすることも可能である。
【００９８】
次に、上記実施形態の変形例について説明する。
【００９９】
図８は、本変形例に係る車両用灯具１１０を示す、図３と同様の図である。
【０１００】
同図に示すように、本変形例の基本的な構成は上記実施形態の場合と同様であるが、単一の灯具ユニット１２０Ｄを備えた構成となっており、この灯具ユニット１２０Ｄからの照射光によってハイビーム用配光パターンにおける付加配光パターン（すなわちロービーム用配光パターンに対して付加的に形成される配光パターン）を形成するようになっている点で上記実施形態の場合と一部異なっている。
【０１０１】
これを実現するため、本変形例の灯具ユニット１２０Ｄは、その基本的な構成については上記実施形態の灯具ユニット２０Ａと同様であるが、マイクロレンズアレイ１４０Ｄの後側レンズアレイ１４２Ｄの構成および遮光板１５０の構成が上記実施形態の場合と一部異なっている。
【０１０２】
すなわち、本変形例の後側レンズアレイ１４２Ｄも、その後面に光源ユニット３０からの出射光を集光させるための複数の集光レンズ部１４２Ｄｓ１、１４２Ｄｓ２が形成された構成となっているが、各集光レンズ部１４２Ｄｓ１、１４２Ｄｓ２の光軸Ａｘｄ２はこれに対応する各投影レンズ部４４Ａｓの光軸Ａｘａ４に対して下方側にオフセットしている。
【０１０３】
また、各集光レンズ部１４２Ｄｓ１、１４２Ｄｓ２は、その表面が投影レンズ部４４Ａｓの表面を構成している球面よりも曲率が小さい円弧状の鉛直断面形状で形成されており、その鉛直面内における前側焦点は投影レンズ部４４Ａｓの後側焦点Ｆよりも灯具前方側に位置している。
【０１０４】
その際、後側レンズアレイ１４２Ｄにおいて光源ユニット３０の光軸Ａｘよりも下方側に位置する下部領域１４２Ｄ２に形成された各集光レンズ部１４２Ｄｓ２は、光軸Ａｘよりも上方側に位置する上部領域１４２Ｄ１に形成された各集光レンズ部１４２Ｄｓ１に対して曲率が小さい円弧状の鉛直断面形状で形成されている。これにより上部領域１４２Ｄ１の透過光よりも下部領域１４２Ｄ２の透過光の方が投影レンズ部４４Ａｓから出射する際の上下方向の拡がりが大きくなるようになっている。
【０１０５】
また、各集光レンズ部１４２Ｄｓ１、１４２Ｄｓ２の水平断面形状は、その鉛直断面形状よりも小さい曲率で形成されている。これにより上部領域１４２Ｄ１および下部領域１４２Ｄ２いずれの透過光も投影レンズ部４４Ａｓから出射する際の左右方向の拡がりが上下方向の拡がりよりも大きくなるようになっている。
【０１０６】
本変形例の遮光板１５０も、複数の開口部１５０ａが規則的に形成された薄板で構成されており、これら複数の開口部１５０ａは前側レンズアレイ４４Ａにおける複数の投影レンズ部４４Ａｓの各々に対応するようにして縦横格子状に配置されている。ただし、この遮光板１５０は、その開口部１５０ａの上端縁１５０ａ２において、集光レンズ部１４２Ｄｓ１、１４２Ｄｓ２を介して該遮光板１５０に到達した光源ユニット３０からの光の一部を遮光することにより、上端部に明暗境界線を有する光源像を投影レンズ部４４Ａｓの後側焦点面上に形成するようになっている。
【０１０７】
その際、集光レンズ部１４２Ｄｓ１、１４２Ｄｓ２の光軸Ａｘｄ２は投影レンズ部４４Ａｓの光軸Ａｘａ４に対して下方側にオフセットしているので、仮に下方側にオフセットしていないとした場合に比して遮光板１５０による遮光量が減少し、その分だけ明るい光源像が形成されるようになっている。
【０１０８】
図９は、車両用灯具１１０からの照射光によって車両前方２５ｍの位置に配置された仮想鉛直スクリーン上に形成される付加配光パターンＰＤを透視的に示す図である。
【０１０９】
この付加配光パターンＰＤは、図中破線で示すロービーム用配光パターンＰＬ（図７参照）に対して付加的に形成される配光パターンであって、その合成配光パターンとしてハイビーム用配光パターンＰＨが形成されるようになっている。
【０１１０】
この付加配光パターンＰＤは、Ｖ−Ｖ線を中心とする横長の配光パターンとして形成されており、その下部に水平カットオフラインＣＬ３を有している。
【０１１１】
この水平カットオフラインＣＬ３は、遮光板１５０に形成された複数の開口部１５０ａの上端縁１５０ａ２の反転投影像として形成され、その位置は上端縁１５０ａ２の形成位置によって設定される。本変形例においては、この水平カットオフラインＣＬ３は、ロービーム用配光パターンＰＬの水平カットオフラインＣＬ１よりもやや下方（具体的にはＨ−Ｈ線から１〜２°程度下方）に位置している。
【０１１２】
この付加配光パターンＰＤは、２つの配光パターンＰＤ１、ＰＤ２の合成配光パターンとして形成されている。
【０１１３】
配光パターンＰＤ１は、後側レンズアレイ１４２Ｄの上部領域１４２Ｄ１に位置する複数の集光レンズ部１４２Ｄｓ１を透過した光によって形成される配光パターンであって、小さくて明るい配光パターンとして形成されている。
【０１１４】
配光パターンＰＤ２は、後側レンズアレイ１４２Ｄの下部領域１４２Ｄ２に位置する複数の集光レンズ部１４２Ｄｓ２を透過した光によって形成される配光パターンであって、配光パターンＰＤ１よりは暗いが比較的大きい配光パターンとして形成されている。
【０１１５】
本変形例においては、付加配光パターンＰＤをロービーム用配光パターンＰＬと部分的に重複するようにして付加的に形成することにより、ハイビーム用配光パターンＰＨとしてＨ−Ｖ近傍を高光度領域とする配光パターンを形成することができる。
【０１１６】
その際、付加配光パターンＰＤは、その下部に水平カットオフラインＣＬ３を有しているので、車両前方走行路の近距離領域は照射することなく遠方領域のみを明るく照射することができ、これによりハイビーム用配光パターンＰＨを遠方視認性に優れたものとすることができる。
【０１１７】
なお、上記実施形態およびその変形例において諸元として示した数値は一例にすぎず、これらを適宜異なる値に設定してもよいことはもちろんである。
【０１１８】
また、本願発明は、上記実施形態およびその変形例に記載された構成に限定されるものではなく、これ以外の種々の変更を加えた構成が採用可能である。
【符号の説明】
【０１１９】
１０、１１０  車両用灯具
１２  ランプボディ
１４  透光カバー
２０Ａ、２０Ｂ、２０Ｃ、１２０Ｄ  灯具ユニット
３０  光源ユニット
３２  光源
３４  透光部材
３４ａ  入射面
３４ａ１  中央領域
３４ａ２  周辺領域
３４ｂ  出射面
３４ｃ  平板部
３４ｄ  外周フランジ部
３６  基板
４０Ａ、４０Ｂ、４０Ｃ、１４０Ｄ  マイクロレンズアレイ
４２  後側透光板
４２Ａ、４２Ｂ、４２Ｃ、１４２Ｄ  後側レンズアレイ
４２ＡＬ、４２ＢＬ、４２ＣＬ  左側領域
４２ＡＲ、４２ＢＲ、４２ＣＲ  右側領域
４２Ａｓ、４２Ｂｓ、４２Ｃｓ、１４２Ｄｓ１、１４２Ｄｓ２  集光レンズ部
４２ａ、４４ａ  外周縁領域
４４  前側透光板
４４Ａ、４４Ｂ、４４Ｃ  前側レンズアレイ
４４Ａｓ、４４Ｂｓ、４４Ｃｓ  投影レンズ部
５０、１５０  遮光板
５０ａ、１５０ａ  開口部
５０ａ１  下端縁
１４２Ｄ１  上部領域
１４２Ｄ２  下部領域
１５０ａ２  上端縁
Ａｘ、Ａｘａ２、Ａｘａ４、Ａｘｂ２、Ａｘｂ４、Ａｘｃ２、Ａｘｃ４、Ａｘｄ２  光軸
ＣＬ１、ＣＬ３  水平カットオフライン
ＣＬ２  斜めカットオフライン
ＤＨａＬ、ＤＨｂＬ、ＤＨｃＬ  左方向へのオフセット量
ＤＨａＲ、ＤＨｂＲ、ＤＨｃＲ  右方向へのオフセット量
ＤＶａ、ＤＶｂ、ＤＶｃ  上方側へのオフセット量
Ｅ  エルボ点
Ｆ  後側焦点
ＰＡ１、ＰＡ２、ＰＢ１、ＰＢ２、ＰＣ１、ＰＣ２、ＰＤ１、ＰＤ２  配光パターン
ＰＤ  付加配光パターン
ＰＨ  ハイビーム用配光パターン
ＰＬ  ロービーム用配光パターン
【図１】
2020061231.tif 000003
【図２】
2020061231.tif 000004
【図３】
2020061231.tif 000005
【図４】
2020061231.tif 000006
【図５】
2020061231.tif 000007
【図６】
2020061231.tif 000008
【図７】
2020061231.tif 000009
【図８】
2020061231.tif 000010
【図９】
2020061231.tif 000011